(57)【要約】【課題】ことにより、オーバーシュートやアンダーシュートを抑えることができるファン付温水式輻射暖房装置を提供すること。【解決手段】熱源機からの温水の供給を制御する開閉弁１１と、この開閉弁１１に接続されて暖房装置本体前面を形成する放熱板４の背面に配設される第１熱交換器５と、この第１熱交換器５に一端が接続されると共に他端が前記熱源機に接続される第２熱交換器８と、空気吸込み口２から吸込まれ前記第２熱交換器８にて熱交換されて温度上昇した空気を温風吹き出し口３から吹き出すための送風機９とを備えたファン付温水式輻射暖房装置１において、室内温度を検出する室温検出センサ１３と、該室温検出センサ１３の検出温度と設定温度との偏差に基づき前記開閉弁１１の開閉を制御すると共に前記送風機９オン時の風量を制御する制御装置３０とを設けた。【選択図】　図６
2004116865.tif 000002
【特許請求の範囲】
【請求項１】
熱源機からの温水の供給を制御する開閉弁と、この開閉弁に接続されて暖房装置本体前面を形成する放熱板の背面に配設される第１熱交換器と、この第１熱交換器に一端が接続されると共に他端が前記熱源機に接続される第２熱交換器と、空気吸込み口から吸込まれ前記第２熱交換器にて熱交換されて温度上昇した空気を温風吹き出し口から吹き出すための送風機とを備えたファン付温水式輻射暖房装置において、室内温度を検出する室温検出センサと、該室温検出センサの検出温度と設定温度との偏差に基づき前記開閉弁の開閉を制御すると共に前記送風機オン時の風量を制御する制御装置とを設けたことを特徴とするファン付温水式輻射暖房装置。
【請求項２】
熱源機からの温水の供給を制御する開閉弁と、この開閉弁に接続されて暖房装置本体前面を形成する放熱板の背面に配設される第１熱交換器と、この第１熱交換器に一端が接続されると共に他端が前記熱源機に接続される第２熱交換器と、空気吸込み口から吸込まれ前記第２熱交換器にて熱交換されて温度上昇した空気を温風吹き出し口から吹き出すための送風機とを備えたファン付温水式輻射暖房装置において、室内温度を検出する室温検出センサと、前記温水温度を検出する温水温度検出センサと、前記室温検出センサの検出温度と設定温度との偏差に基づき前記開閉弁の開閉及び前記送風機オン時の風量を制御すると共に前記温水温度検出センサの検出温度に基づき前記送風機のオン、オフを制御する制御装置とを設けたことを特徴とするファン付温水式輻射暖房装置。
【請求項３】
熱源機からの温水の供給を制御する開閉弁と、この開閉弁に接続されて暖房装置本体前面を形成する放熱板の背面に配設される第１熱交換器と、この第１熱交換器に一端が接続されると共に他端が前記熱源機に接続される第２熱交換器と、空気吸込み口から吸込まれ前記第２熱交換器にて熱交換されて温度上昇した空気を温風吹き出し口から吹き出すための送風機とを備えたファン付温水式輻射暖房装置において、室内温度を検出する室温検出センサと、前記温水温度を検出する温水温度検出センサと、前記室温検出センサの検出温度と設定温度との偏差に基づき前記開閉弁の開閉及び前記送風機オン時の風量を制御すると共に前記温水温度検出センサの検出温度に基づき前記送風機のオン、オフを制御する制御装置と、前記室温検出センサの検出温度と設定温度との偏差に基づく前記送風機オン時の風量制御を停止し前記送風機の運転を停止を指示する指示スイッチを設けたことを特徴とするファン付温水式輻射暖房装置。
【請求項４】
熱源機からの温水の供給を制御する開閉弁と、この開閉弁に接続されて暖房装置本体前面を形成する放熱板の背面に配設される第１熱交換器と、この第１熱交換器に一端が接続されると共に他端が前記熱源機に接続される第２熱交換器と、空気吸込み口から吸込まれ前記第２熱交換器にて熱交換されて温度上昇した空気を温風吹き出し口から吹き出すための送風機とを備えたファン付温水式輻射暖房装置において、室内温度を検出する室温検出センサと、前記温水温度を検出する温水温度検出センサと、前記送風機オン時の風量を複数段階に切り替えるスイッチと、前記開閉弁の開閉を前記室温検出センサの検出温度と設定温度との偏差に基づき制御すると共に前記温水温度検出センサの検出温度に基づき前記送風機のオン、オフを制御する制御装置とを設けたことを特徴とするファン付温水式輻射暖房装置。
【請求項５】
熱源機からの温水の供給を制御する開閉弁と、この開閉弁に接続されて暖房装置本体前面を形成する放熱板の背面に配設される第１熱交換器と、この第１熱交換器に一端が接続されると共に他端が前記熱源機に接続される第２熱交換器と、空気吸込み口から吸込まれ前記第２熱交換器にて熱交換されて温度上昇した空気を温風吹き出し口から吹き出すための送風機とを備えたファン付温水式輻射暖房装置において、前記温水温度を検出する温水温度検出センサと、前記送風機の風量を複数段階に切り替えるスイッチと、該スイッチの切り替えに基づき前記送風機の風量並びに前記開閉弁の開時間及び閉時間を制御すると共に前記温水温度検出センサの検出温度に基づき前記送風機のオン、オフを制御する制御装置とを設けたことを特徴とするファン付温水式輻射暖房装置。
【請求項６】
前記送風機を停止して前記放熱板による輻射暖房のみを行うように指示する指示スイッチを設けたことを特徴とする請求項５に記載のファン付温水式輻射暖房装置。
【発明の詳細な説明】
【０００１】
【発明の属する技術分野】
本発明は、熱源機からの温水の供給を制御する開閉弁と、この開閉弁に接続されて暖房装置本体前面を形成する放熱板の背面に配設される第１熱交換器と、この第１熱交換器に一端が接続されると共に他端が前記熱源機に接続される第２熱交換器と、空気吸込み口から吸込まれ前記第２熱交換器にて熱交換されて温度上昇した空気を温風吹き出し口から吹き出すための送風機とを備えたファン付温水式輻射暖房装置に関する。
【０００２】
【従来の技術】
この種のファン付温水式輻射暖房装置は、前記開閉弁と送風機とが同時にオン、オフするように制御され、また、室内温度が上限値に達すると送風機の運転を停止し、下限値まで低下すると送風機の運転を開始するように制御し、さらに送風機の運転開始時には送風機の運転を所定時間低速運転し、冷風の吐出を軽減する技術（特許文献参照）が知られている。
【０００３】
【特許文献】
特開平７−１１９９９２号公報
【０００４】
【発明が解決しようとする課題】
従って、室内温度に基づく送風機の運転開始及び停止に伴いオーバーシュートやアンダーシュートが発生し易く、使用環境負荷や季節の変わり目などに使用環境が暖まり過ぎる場合があり、使用環境下では温度斑が発生するうえ、開閉弁の開閉頻度や送風機の風量切り替え頻度が高くなる制御となっている。
【０００５】
そこで本発明は、上述の事情を考慮してなされたものであり、放熱板による輻射暖房と、送風機による温風暖房とを組みせ、前記開閉弁の開閉、送風機の送風量の切り替え及びオン、オフの制御により、オーバーシュート、アンダーシュートや温度斑を抑えることができるファン付温水式輻射暖房装置を提供することを目的とする。
【０００６】
【課題を解決するための手段】
このため第１の発明は、熱源機からの温水の供給を制御する開閉弁と、この開閉弁に接続されて暖房装置本体前面を形成する放熱板の背面に配設される第１熱交換器と、この第１熱交換器に一端が接続されると共に他端が前記熱源機に接続される第２熱交換器と、空気吸込み口から吸込まれ前記第２熱交換器にて熱交換されて温度上昇した空気を温風吹き出し口から吹き出すための送風機とを備えたファン付温水式輻射暖房装置において、室内温度を検出する室温検出センサと、該室温検出センサの検出温度と設定温度との偏差に基づき前記開閉弁の開閉を制御すると共に前記送風機オン時の風量を制御する制御装置とを設けたことを特徴とする。
【０００７】
第２の発明は、熱源機からの温水の供給を制御する開閉弁と、この開閉弁に接続されて暖房装置本体前面を形成する放熱板の背面に配設される第１熱交換器と、この第１熱交換器に一端が接続されると共に他端が前記熱源機に接続される第２熱交換器と、空気吸込み口から吸込まれ前記第２熱交換器にて熱交換されて温度上昇した空気を温風吹き出し口から吹き出すための送風機とを備えたファン付温水式輻射暖房装置において、室内温度を検出する室温検出センサと、前記温水温度を検出する温水温度検出センサと、前記室温検出センサの検出温度と設定温度との偏差に基づき前記開閉弁の開閉及び前記送風機オン時の風量を制御すると共に前記温水温度検出センサの検出温度に基づき前記送風機のオン、オフを制御する制御装置とを設けたことを特徴とする。
【０００８】
第３の発明は、熱源機からの温水の供給を制御する開閉弁と、この開閉弁に接続されて暖房装置本体前面を形成する放熱板の背面に配設される第１熱交換器と、この第１熱交換器に一端が接続されると共に他端が前記熱源機に接続される第２熱交換器と、空気吸込み口から吸込まれ前記第２熱交換器にて熱交換されて温度上昇した空気を温風吹き出し口から吹き出すための送風機とを備えたファン付温水式輻射暖房装置において、室内温度を検出する室温検出センサと、前記温水温度を検出する温水温度検出センサと、前記室温検出センサの検出温度と設定温度との偏差に基づき前記開閉弁の開閉及び前記送風機オン時の風量を制御すると共に前記温水温度検出センサの検出温度に基づき前記送風機のオン、オフを制御する制御装置と、前記室温検出センサの検出温度と設定温度との偏差に基づく前記送風機オン時の風量制御を停止し前記送風機の運転を停止を指示する指示スイッチを設けたことを特徴とする。
【０００９】
第４の発明は、熱源機からの温水の供給を制御する開閉弁と、この開閉弁に接続されて暖房装置本体前面を形成する放熱板の背面に配設される第１熱交換器と、この第１熱交換器に一端が接続されると共に他端が前記熱源機に接続される第２熱交換器と、空気吸込み口から吸込まれ前記第２熱交換器にて熱交換されて温度上昇した空気を温風吹き出し口から吹き出すための送風機とを備えたファン付温水式輻射暖房装置において、室内温度を検出する室温検出センサと、前記温水温度を検出する温水温度検出センサと、前記送風機オン時の風量を複数段階に切り替えるスイッチと、前記開閉弁の開閉を前記室温検出センサの検出温度と設定温度との偏差に基づき制御すると共に前記温水温度検出センサの検出温度に基づき前記送風機のオン、オフを制御する制御装置とを設けたことを特徴とする。
【００１０】
第５の発明は、熱源機からの温水の供給を制御する開閉弁と、この開閉弁に接続されて暖房装置本体前面を形成する放熱板の背面に配設される第１熱交換器と、この第１熱交換器に一端が接続されると共に他端が前記熱源機に接続される第２熱交換器と、空気吸込み口から吸込まれ前記第２熱交換器にて熱交換されて温度上昇した空気を温風吹き出し口から吹き出すための送風機とを備えたファン付温水式輻射暖房装置において、前記温水温度を検出する温水温度検出センサと、前記送風機の風量を複数段階に切り替えるスイッチと、該スイッチの切り替えに基づき前記送風機の風量並びに前記開閉弁の開時間及び閉時間を制御すると共に前記温水温度検出センサの検出温度に基づき前記送風機のオン、オフを制御する制御装置とを設けたことを特徴とする。
【００１１】
第６の発明は、第５の発明において、前記送風機を停止して前記放熱板による輻射暖房のみを行うように指示する指示スイッチを設けたことを特徴とする。
【００１２】
【発明の実施の形態】
以下、本発明の第１の実施の形態を図面に基づき説明する。図１はファン付温水式輻射暖房装置１の斜視図で、図２は一部破断せるファン付温水式輻射暖房装置１の正面図で、図３はファン付温水式輻射暖房装置１の縦断側面図であり、ファン付温水式輻射暖房装置１は図示しない熱源機から高温の温水が循環供給されて、その温水を利用して送風機で温風を吹き出すことで室内の暖房及び放熱板による輻射暖房を行うもので、以下その構成と動作について詳述する。
【００１３】
暖房装置本体の上面にフィルター１０が設けられた空気吸込み口２、前面下部に温風吹き出し口３が形成されている。そして、暖房装置本体の前面には、アルミニウム等で製作された放熱板４が配設され、この放熱板４の背面に第１熱交換器５を設け、この第１熱交換器５と背面板６との間の送風通路７内に第２熱交換器８及び送風機９を配設する。この送風機９は、ファンモータ９Ａとクロスフローファン９Ｂとから構成される。
【００１４】
１１は図示しない熱源機からの高温水の供給を制御する温水制御弁としての開閉弁で、この開閉弁１１には温水パイプを折り返して形成された前記第１熱交換器５が往き管５Ａを介して接続され、更にこの第１熱交換器５にはフィン熱交換器である前記第２熱交換器８が接続され、この第２熱交換器８は継ぎ手１２を介して前記熱源機に接続されている。
【００１５】
１３は暖房装置本体の側面部に設けられる室温検出センサで、サーミスタなどで構成され、現在の室内温度を検出する。１４は前記第２熱交換器８への往き管８Ａに設けられる温水温度検出センサで、サーミスタなどで構成され、温水の温度を検出する。この温水温度検出センサ１４は第１熱交換器５や、第２熱交換器８やこれらの熱交換器の入口又は出口に設けても良い。
【００１６】
１５は使用者により各種操作がなされる操作パネルで、運転の入／切を行なうための運転スイッチ１６や、運転中に点灯する運転表示ランプ１７、室内の設定温度を設定する＋（プラス）スイッチ１９や−（マイナス）スイッチ２０、設定温度、現在温度及び時刻を表示する表示部２１や、入りタイマースイッチ２２及び入りタイマー表示ランプ２３、切りタイマースイッチ２４及び切りタイマー表示ランプ２５、指示スイッチとしての風量の切り替えスイッチ２６、運転モード表示部２７などが設けられている。そして、運転スイッチ１６を操作して運転が開始するときの初期状態では「自動運転モード」であり、運転モード表示部２７の「自動」のランプ２７Ａが点灯し、風量の切り替えスイッチ２６を操作する度に送風機９による強風である「強運転モード」、強風より風量が少ない中風である「中運転モード」、中風より風量が少ない弱風である「弱運転モード」、送風機９をオフ、即ち停止する「送風停止モード」に切り替り、対応するランプが点灯するものである。
【００１７】
次に、図６の本ファン付温水式輻射暖房装置１の制御ブロック図について説明する。３０は本暖房装置１を制御するマイクロコンピュータなどから構成される制御装置で、本暖房装置１を統括制御するＣＰＵ、ＲＡＭ（ランダム・アクセス・メモリ）及びＲＯＭ（リ−ド・オンリー・メモリ）などを備え、ＣＰＵは前記ＲＡＭに記憶された各種データ、例えば開閉弁１１を開く温度及び閉じる温度、送風機９の運転（オン）温度及び停止（オフ）温度などの制御データに基づき、前記ＲＯＭに格納されたプログラムに従い、本暖房装置１の運転動作に係る動作を統括制御する。
【００１８】
そして、その入力側には各スイッチ１６、１９、２０、２２、２４、２６及び各検出センサ１３、１４などが接続され、その出力側には表示部２１、各ランプ１７、２３、２５、運転モード表示部２７、開閉弁１１及び送風機９などが接続されている。
【００１９】
以上の構成により、以下記憶装置であるＲＡＭに格納された図７の制御データなどに基づき第１の実施形態の動作について説明する。先ず使用者が暖房装置１の運転を開始させるために運転スイッチ１６を押圧すると、運転開始時の初期状態は「自動運転モード」であり、この運転スイッチ１６の押圧後に＋（プラス）スイッチ１９や−（マイナス）スイッチ２０を操作して、例えば１８℃に室内の設定温度を設定する。
【００２０】
また、制御装置３０は現在温度と前記設定温度との温度偏差に基づいて、開閉弁１１のオン、オフを一定周期（２０分間）で繰り返す制御、即ち図７に示すようなオンする時間とオフする時間が合計で２０分となるように開閉弁１１を制御する。例えば、室温検出センサ１３が１５℃を検出している場合には、現在温度１５℃から設定温度１８℃を引いた温度偏差がマイナス３℃となり、マイナス２．０℃より低いので、制御装置３０は開閉弁１１のオンする時間が２０分間、オフする時間が０分間、即ちオン／オフ周期が２０分間であるので、１周期の全時間がオンとなるように開閉弁１１を制御する。
【００２１】
従って、開閉弁１１が開いて往き管５Ａを介して第１熱交換器５及び第２熱交換器８に熱源機（図示せず）からの温水を供給循環させると共に送風機９を「自動運転モード」で運転させる。尚、この「自動運転モード」では、制御装置３０により現在温度と前記設定温度との温度偏差のレベルに応じて、図７に示すように送風機９の送風量を「強風」、「中風」、「弱風」、「停止」に制御するものである。また、送風機７は温水温度検出センサ１４によって検出した温水温度が４０℃以上で運転し、３５℃以下では停止することで冷風の吹き出しを防止している。
【００２２】
そして、時間の経過と共に温水循環により温水温度検出センサ１４の検出温度が上昇し、検出温度が上限値である４０℃に達すると、制御装置３０は送風機９をオンして強風運転させ、空気吸込み口２から吸込まれた室内空気が主として第２熱交換器８にて熱交換されて温度上昇した後、温風吹き出し口３から強風にて吹き出され、室内の温度斑を回避するような温風暖房が行われ、同時に、第１熱交換器５から熱が放熱板４に伝導し、この放熱板４からの輻射暖房が行なわれる。
【００２３】
そして、上述のように暖房運転がなされ、室内温度が次第に上昇して室温検出センサ１３の検出温度と設定温度との差、即ち温度偏差が減少するのに伴い、図７の制御データに示したように温度偏差が０．５℃ずつ減少するのに伴い開閉弁１１の開閉時間の１周期（オン、オフ時間１周期）である２０分のうちの開時間（ＯＮ時間）が２分ずつ減少し、閉時間（ＯＦＦ時間）が２分ずつ増加し、温水の循環時間が減少して温風暖房及び輻射暖房の能力が次第に減少する。そして、温水循環が停止している間に、第２熱交換器８の温水の温度が低下し、温水温度検出センサ１４の検出温度が下限値である３５℃まで低下すると、制御装置３０が送風機９を停止する。このため、上昇温度が少なく、使用者が冷たいと感じる或いは暖かいと感じないような空気が温風吹き出し口３から吹き出されることが防止される。
【００２４】
そして、設定されていた開閉弁１１の閉時間（ＯＦＦ時間）が経過すると、制御装置３０が動作し、開閉弁１１が開き、温水が第１熱交換器５及び第２熱交換器８に温水が循環する。このため、放熱板４からの輻射暖房が行われ、温水温度検出センサ１４の検出温度が上限値（４０℃）になると、制御装置３０が送風機９を運転させ、空気吸込み口２から吸込まれた室内空気が温度上昇した後、温風吹き出し口３から吹き出され、温風暖房が輻射暖房と共に行われる。
【００２５】
また、室内温度がさらに上昇し、温度偏差が−１．０℃まで減少すると、制御装置３０が動作して送風機９の運転時の風量が強風から中風に切り替わり、室内温度が設定温度より高くなり、温度偏差が＋０．５℃以上になると、送風機９の運転時の風量が中風から弱風に切り替る。更に、温度偏差が＋２．０℃に達すると、制御装置３０により開閉弁１１の開閉時間周期である２０分のうちの開時間が最も短い２分になり、閉時間が１８分になり、また送風機９は停止し、温水が循環する時間が減少して温風暖房及び輻射暖房の能力が最も低下し室内温度の上昇が抑制される。
【００２６】
以後、同様に制御装置３０により現在温度と設定温度との温度偏差に基づき開閉弁１１の開閉が制御されると共に温水温度に基づき送風機９の運転、停止が制御され、輻射暖房と温風暖房とを組み合わせ、オーバーシュートやアンダーシュートを回避し、暖房運転時の室内の温度斑を極力回避できる。また、送風機９の風量が温度偏差に基づき切り替わり、特に低温時の室内の温度斑を回避でき、また、室内温度上昇時の送風機９の運転音を抑え、消費電力の削減を図ることも可能になる。
【００２７】
夜間の就寝時などに使用者が切り替えスイッチ２６を押圧し、「送風停止モード」に切り替えた場合には、図７の制御データの送風機風量の列にカッコ内に示したように、制御装置３０により温水温度検出センサ１４の検出温度及び前記温度偏差とは無関係に送風機９は運転を停止した状態に維持される。この結果、輻射暖房のみによる暖房運転が行われ、送風音が気になる使用環境下でも使用することができ、また、未使用室などの予備暖房として輻射暖房のみを使用でき、使用性が向上する。
【００２８】
また、使用者が切り替えスイッチ２６を押圧し、「強運転モード」に設定した場合には、上記図７の制御データに示した「自動運転モード」時の制御とほぼ同様に、図８の制御データに示したように、制御装置３０により前記温度偏差に基づき開閉弁１１の開閉時間が制御されると共に送風機９のオン、オフが温水温度に基づき制御される。そして、送風機９の風量は温度偏差の変化とは無関係に、常に強風に維持される。即ち、例えば暖房運転開始時の温度偏差が−２．０℃より大きい場合には強風であるのはもちろん、温度偏差が減少した場合及びプラス側にて温度偏差が増加した場合においても、送風機９の風量が強風に常に維持される。
【００２９】
このため、ファン付温水式輻射暖房装置１を使用している部屋が広い場合などにおいても暖房運転時の温度斑を回避することが可能になる。更に、運転開始直後で室内温度が設定温度より低く温度偏差が−１．０℃未満の場合には、図８に示したように制御装置３０により開閉弁１１の開時間が２０分、閉時間が０分、即ち開閉弁１１は連続して開いているように制御され、空気吸込み口２から吸込まれた室内空気が主として第２熱交換器８にて熱交換されて温度上昇した後、温風吹き出し口３から強風にて吹き出され温風暖房が行われると同時に、第１熱交換器５から熱が放熱板４に伝導し、この放熱板４からの輻射暖房が連続して行われ、温度斑を回避しつつ室内温度を短時間にて上昇させることが可能になる。
【００３０】
また、使用者が切り替えスイッチ２６を押圧し、「中運転モード」に設定した場合には、上記図７の制御データに示した「自動運転モード」時の制御と同様に、図９の制御データに示したように、制御装置３０により前記温度偏差に基づき開閉弁１１の開閉時間が制御されると共に送風機９のオン、オフが第２熱交換器８の温水温度に基づき制御される。そして、送風機９の風量は温度偏差の変化とは無関係に、常に中風に維持される。即ち、例えば暖房運転開始時の温度偏差が−２．０℃より大きい場合から温度偏差が減少し、更にプラス側にて温度偏差が増加した場合においても、送風機９の風量が中風に常に維持される。
【００３１】
このため、ファン付温水式輻射暖房装置１を使用している部屋が大きくなく、中風によっても温度斑の発生をほぼ抑えることができるような場合に適切に対応でき、また、暖気の強風吹き出しによる不快感を回避することも可能になる。
【００３２】
また、使用者が切り替えスイッチ２６を押圧し、「弱運転モード」に設定した場合には、上記図７の制御データに示した「自動運転モード」時の制御とほぼ同様に、図１０の制御データに示したように、制御装置３０により前記温度偏差に基づき開閉弁１１の開閉時間が制御されると共に送風機９のオン、オフが第２熱交換器８の温水温度に基づき制御される。そして、送風機９の風量は温度偏差の変化とは無関係に、常に弱風に維持される。即ち、例えば暖房運転開始時の温度偏差が−２．０℃より大きい場合から温度偏差が減少し、更にプラス側にて温度偏差が増加した場合においても、送風機９の風量が弱風に常に維持される。
【００３３】
このため、ファン付温水式輻射暖房装置１を使用している部屋が狭く、弱風によっても温度斑の発生をほぼ抑えることができるような場合、或いは就寝時であり送風機９の運転音を極力に小さくしたい場合などに適切に対応でき、また、暖気の強風吹き出しによる不快感を回避することも可能になる。また、暖房運転開始直後であり、室内温度が設定温度より低く、温度偏差が大きい場合、即ち図１０の制御データに示したように温度偏差が−２．０℃を超えている場合においても開閉弁１１の閉時間が、例えば４分設けられ、温水循環による第２熱交換器８の加熱能力を抑え、第２熱交換器８の温度、即ち温水温度の急激な変化を極力抑え、弱風吹き出し時の送風機９の頻繁なオン、オフを極力回避することが可能になる。
【００３４】
この結果、使用者の使用状況、使用慣用の変化に適切に対応することが可能なファン付温水式輻射暖房装置１を提供することができる。
【００３５】
以下図１１の制御データに基づき、第２の実施の形態の動作について説明する。この実施形態においては、制御装置３０により自動運転モードの場合には制御装置３０により上記図７に示した運転制御とほぼ同様に制御され、使用者が送風機９の運転を強風、中風、弱風及び送風機９の停止に切り替えることにより、制御装置３０は図１１に示した制御データのように開閉弁１１の開時間が２０分、１０分、２分及び２０分に変化し、開閉弁１１の閉時間が０分、１０分、１８分及び０分に変化するように開閉弁１１の開閉を制御し、且つ送風機９の運転停止を上記図７の制御データに示した制御と同様に温水温度に基づき制御する。
【００３６】
このため、上記のように送風機９の運転を強風、中風、弱風及び送風機９の停止に切り替えることにより、即ち風量の切り替えスイッチ２６を操作による送風機９の運転モードを切り替えることにより、開閉弁１１の開閉時間が自動的に切り替わり、使用している部屋が大きい場合、或いは部屋の温度を短時間にて上昇させたい場合などには、「強運転モード」により温度斑の発生を回避しつつ温風暖房及び輻射暖房による暖房能力を増加させ、また、部屋が小さい或いは室温が僅かに低い場合などには、「弱運転モード」により温度斑の発生を極力回避しつつ温風暖房及び輻射暖房による暖房能力を低下させ、しかも送風機９の風量を極力抑え、送風機９の頻繁な運転停止の繰り返しを極力回避することが可能になる。更に送風機９の「送風停止モード」により、就寝時などに対応して輻射暖房のみの暖房運転をすることができる。この結果、使用状況、使用環境負荷や季節の変わり目などの使用環境の暖まり過ぎや、使用環境下での温度斑の発生を抑えることが可能なファン付温水式輻射暖房装置を提供することができる。
【００３７】
なお、以上本発明の実施態様について説明したが、上述の説明に基づいて当業者にとって種々の代替例、修正又は変形が可能であり、本発明の趣旨を逸脱しない範囲で前述の種々の代替例、修正又は変形を包含するものである。
【００３８】
【発明の効果】
以上のように本発明は、放熱板による単独輻射暖房と、送風機による温風暖房とを組みせ、前記開閉弁の開閉、送風機の送風量の切り替え及びオン、オフの制御により、オーバーシュートやアンダーシュートを抑えることができ、使用状況が変わった場合、使用環境負荷や季節の変わり目などの使用環境の暖まり過ぎや、使用環境下での温度斑の発生を抑えることができる。また、放熱板からの輻射暖房のみが行なわれるようにしたから、就寝中などの送風音が気になる使用環境下での使用性の向上や、未使用室などの予備暖房機能として使用性を向上できる。
【図面の簡単な説明】
【図１】ファン付温水式輻射暖房装置の斜視図を示す。
【図２】一部破断せるファン付温水式輻射暖房装置の正面図を示す。
【図３】ファン付温水式輻射暖房装置の縦断側面図を示す。
【図４】要部の分解斜視図を示す。
【図５】操作パネルの平面図を示す。
【図６】本ファン付温水式輻射暖房装置の制御ブロック図を示す。
【図７】自動運転モードの開閉弁の開時間、閉時間及び送風機のオン、オフ温度を示す制御データである。
【図８】強風運転モードの開閉弁の開時間、閉時間及び送風機のオン、オフ温度を示す制御データである。
【図９】中風運転モードの開閉弁の開時間、閉時間及び送風機のオン、オフ温度を示す制御データである。
【図１０】弱風運転モードの開閉弁の開時間、閉時間及び送風機のオン、オフ温度を示す制御データである。
【図１１】風量切り替え時の風量別の開閉弁の開時間、閉時間及び送風機のオン、オフ温度を示す制御データである。
【符号の説明】
１　　ファン付温水式輻射暖房装置
２　　空気吸込み口
３　　温風吹き出し口
４　　放熱板
５　　第１熱交換器
８　　第２熱交換器
９　　送風機
１１　開閉弁
１３　室温検出センサ
１４　温水温度検出センサ
１６　運転スイッチ
２６　切り替えスイッチ
３０　制御装置
【図１】
2004116865.tif 000003
【図２】
2004116865.tif 000004
【図３】
2004116865.tif 000005
【図４】
2004116865.tif 000006
【図５】
2004116865.tif 000007
【図６】
2004116865.tif 000008
【図７】
2004116865.tif 000009
【図８】
2004116865.tif 000010
【図９】
2004116865.tif 000011
【図１０】
2004116865.tif 000012
【図１１】
2004116865.tif 000013